(57)【要約】【課題】ＲＦＩＤ通信及び無線ＬＡＮ通信で互いに適切な通信性能を確保する。【解決手段】第１のＲＦＩＤアンテナ８ａはＹ軸方向に沿って配置され、第２のＲＦＩＤアンテナ８ｂはＺ軸方向に沿って配置され、第１の無線ＬＡＮアンテナ９ａはＹ軸方向に沿って配置され、第２の無線ＬＡＮアンテナ９ｂはＸ軸方向に沿って配置されている。第１のＲＦＩＤアンテナ８ａが形成する偏波面と第２の無線ＬＡＮアンテナ９ｂが形成する偏波面とを直交させることができ、第２のＲＦＩＤアンテナ８ｂが形成する偏波面と第１の無線ＬＡＮアンテナ９ａ及び第２の無線ＬＡＮアンテナ９ｂのいずれかが形成する偏波面とを直交させることができる。【選択図】図１
2010016456.tif 000002
【特許請求の範囲】
【請求項１】
筐体に、ＲＦＩＤタグとの間でＲＦＩＤ通信を行うＲＦＩＤ通信手段と、外部無線機器との間で無線ＬＡＮ通信を行う無線ＬＡＮ通信手段とが設けられている携帯型ＲＦＩＤリーダライタにおいて、
前記ＲＦＩＤ通信手段に接続されている直線偏波特性を有するＲＦＩＤアンテナと前記無線ＬＡＮ通信手段に接続されている直線偏波特性を有する無線ＬＡＮアンテナとは、各々が形成する偏波面が直交する関係に配置されていることを特徴とする携帯型ＲＦＩＤリーダライタ。
【請求項２】
請求項１に記載した携帯型ＲＦＩＤリーダライタにおいて、
前記筐体が長尺形状に形成され、前記ＲＦＩＤアンテナとして２つのアンテナが設けられると共に前記無線ＬＡＮアンテナとして２つのアンテナが設けられ、
前記２つのＲＦＩＤアンテナは、前記筐体の水平面部に平行な水平面にあって前記筐体の長手方向に直交する方向に沿って配置されているアンテナと前記筐体の水平面部に平行な水平面に直交する方向に沿って配置されているアンテナとの組合せにより構成され、
前記２つの無線ＬＡＮアンテナは、前記筐体の水平面部に平行な水平面にあって前記筐体の長手方向に直交する方向に沿って配置されているアンテナと前記筐体の水平面部に平行な水平面に直交する方向に沿って配置されているアンテナとの組合せ、前記筐体の水平面部に平行な水平面にあって前記筐体の長手方向に沿って配置されているアンテナと前記筐体の水平面部に平行な水平面に直交する方向に沿って配置されているアンテナとの組合せ、前記筐体の水平面部に平行な水平面にあって前記筐体の長手方向に沿って配置されているアンテナと前記筐体の水平面部に平行な水平面にあって前記筐体の長手方向に直交する方向に沿って配置されているアンテナとの組合せのいずれかにより構成されていることを特徴とする携帯型ＲＦＩＤリーダライタ。
【請求項３】
請求項１に記載した携帯型ＲＦＩＤリーダライタにおいて、
前記筐体が長尺形状に形成され、前記ＲＦＩＤアンテナとして１つのアンテナが設けられると共に前記無線ＬＡＮアンテナとして１つのアンテナが設けられ、
前記１つのＲＦＩＤアンテナは、前記筐体の水平面部に平行な水平面にあって前記筐体の長手方向に直交する方向に沿って配置され、
前記１つの無線ＬＡＮアンテナは、前記筐体の水平面部に平行な水平面に直交する方向に沿って配置されていることを特徴とする携帯型ＲＦＩＤリーダライタ。
【請求項４】
請求項１に記載した携帯型ＲＦＩＤリーダライタにおいて、
前記筐体が長尺形状に形成され、前記ＲＦＩＤアンテナとして１つのアンテナが設けられると共に前記無線ＬＡＮアンテナとして２つのアンテナが設けられ、
前記１つのＲＦＩＤアンテナは、前記筐体の水平面部に平行な水平面にあって前記筐体の長手方向に直交する方向に沿って配置され、
前記２つの無線ＬＡＮアンテナは、前記筐体の水平面部に平行な水平面にあって前記筐体の長手方向に直交する方向に沿って配置されているアンテナと前記筐体の水平面部に平行な水平面に直交する方向に沿って配置されているアンテナとの組合せ、前記筐体の水平面部に平行な水平面にあって前記筐体の長手方向に沿って配置されているアンテナと前記筐体の水平面部に平行な水平面に直交する方向に沿って配置されているアンテナとの組合せ、前記筐体の水平面部に平行な水平面にあって前記筐体の長手方向に沿って配置されているアンテナと前記筐体の水平面部に平行な水平面にあって前記筐体の長手方向に直交する方向に沿って配置されているアンテナとの組合せのいずれかにより構成されていることを特徴とする携帯型ＲＦＩＤリーダライタ。
【請求項５】
請求項１に記載した携帯型ＲＦＩＤリーダライタにおいて、
前記筐体が長尺形状に形成され、前記ＲＦＩＤアンテナとして２つのアンテナが設けられると共に前記無線ＬＡＮアンテナとして１つのアンテナが設けられ、
前記２つのＲＦＩＤアンテナは、前記筐体の水平面部に平行な水平面にあって前記筐体の長手方向に直交する方向に沿って配置されているアンテナと前記筐体の水平面部に平行な水平面に直交する方向に沿って配置されているアンテナとの組合せにより構成され、
前記１つの無線ＬＡＮアンテナは、前記筐体の水平面部に平行な水平面に直交する方向に沿って配置されている或いは前記筐体の水平面部に平行な水平面にあって前記筐体の長手方向に直交する方向に沿って配置されていることを特徴とする携帯型ＲＦＩＤリーダライタ。
【請求項６】
請求項２に記載した携帯型ＲＦＩＤリーダライタにおいて、
前記２つの無線ＬＡＮアンテナの各々の受信電界強度を測定し、それら２つの無線ＬＡＮアンテナのうちいずれかを当該測定結果に基づいて動作アンテナとして択一的に切替える無線ＬＡＮアンテナ切替手段を備え、
前記無線ＬＡＮアンテナ切替手段は、前記ＲＦＩＤ通信手段がＲＦＩＤタグとの間でＲＦＩＤ通信を行う毎に前記無線ＬＡＮ通信手段が外部無線機器との間で無線ＬＡＮ通信を行う態様では、前記ＲＦＩＤ通信手段がＲＦＩＤタグとの間でＲＦＩＤ通信中にある毎に、前記２つの無線ＬＡＮアンテナの各々の受信電界強度を測定し、それら２つの無線ＬＡＮアンテナのうちいずれかを当該測定結果に基づいて動作アンテナとして択一的に切替えることを特徴とする携帯型ＲＦＩＤリーダライタ。
【請求項７】
請求項２に記載した携帯型ＲＦＩＤリーダライタにおいて、
前記２つの無線ＬＡＮアンテナの各々の受信電界強度を測定し、それら２つの無線ＬＡＮアンテナのうちいずれかを当該測定結果に基づいて動作アンテナとして択一的に切替える無線ＬＡＮアンテナ切替手段を備え、
前記無線ＬＡＮアンテナ切替手段は、前記ＲＦＩＤ通信手段がＲＦＩＤタグとの間でＲＦＩＤ通信を行う毎に前記無線ＬＡＮ通信手段が外部無線機器との間で無線ＬＡＮ通信を行う態様では、前記ＲＦＩＤ通信手段がＲＦＩＤタグとの間でＲＦＩＤ通信を終了した直後毎に、前記２つの無線ＬＡＮアンテナの各々の受信電界強度を測定し、それら２つの無線ＬＡＮアンテナのうちいずれかを当該測定結果に基づいて動作アンテナとして択一的に切替えることを特徴とする携帯型ＲＦＩＤリーダライタ。
【請求項８】
請求項２に記載した携帯型ＲＦＩＤリーダライタにおいて、
前記２つのＲＦＩＤアンテナの各々のＲＦＩＤタグ応答レベルを測定し、それら２つのＲＦＩＤアンテナのうちいずれかを当該測定結果に基づいて動作アンテナとして択一的に切替えるＲＦＩＤアンテナ切替手段を備え、
前記ＲＦＩＤアンテナ切替手段は、前記ＲＦＩＤ通信手段がＲＦＩＤタグとの間でＲＦＩＤ通信を行う毎に前記無線ＬＡＮ通信手段が外部無線機器との間で無線ＬＡＮ通信を行う態様では、前記無線ＬＡＮ通信手段が２つの無線ＬＡＮアンテナのうちＲＦＩＤアンテナのいずれとも偏波面が直交する関係に配置されている方を選択した後に、前記２つのＲＦＩＤアンテナの各々のＲＦＩＤタグ応答レベルを測定し、それら２つのＲＦＩＤアンテナのうちいずれかを当該測定結果に基づいて動作アンテナとして択一的に切替えることを特徴とする携帯型ＲＦＩＤリーダライタ。
【請求項９】
請求項２に記載した携帯型ＲＦＩＤリーダライタにおいて、
前記２つの無線ＬＡＮアンテナの各々の受信電界強度を測定し、それら２つの無線ＬＡＮアンテナのうちいずれかを当該測定結果に基づいて動作アンテナとして択一的に切替える無線ＬＡＮアンテナ切替手段を備え、
前記無線ＬＡＮアンテナ切替手段は、前記ＲＦＩＤ通信手段がＲＦＩＤタグとの間で予め設定されている設定回数分のＲＦＩＤ通信を行った後に前記無線ＬＡＮ通信手段が外部無線機器との間で無線ＬＡＮ通信を行う態様では、前記ＲＦＩＤ通信手段がＲＦＩＤタグとの間で設定回数分のＲＦＩＤ通信を終了した直後に、前記２つの無線ＬＡＮアンテナの各々の受信電界強度を測定し、それら２つの無線ＬＡＮアンテナのうちいずれかを当該測定結果に基づいて動作アンテナとして択一的に切替えることを特徴とする携帯型ＲＦＩＤリーダライタ。
【発明の詳細な説明】
【技術分野】
【０００１】
本発明は、筐体に、ＲＦＩＤタグとの間でＲＦＩＤ通信を行うＲＦＩＤ通信手段と、無線機器との間で無線ＬＡＮ通信を行う無線ＬＡＮ通信手段とが設けられている携帯型ＲＦＩＤリーダライタに関する。
【背景技術】
【０００２】
従来より、ＲＦＩＤタグとの間でＲＦＩＤ通信を行うＲＦＩＤ通信モジュールと、外部無線機器との間で無線ＬＡＮ通信を行う無線ＬＡＮ通信モジュールとを備え、ＲＦＩＤ通信モジュールがＲＦＩＤタグから読取ったデータを無線ＬＡＮ通信モジュールから外部無線機器に転送させたり、外部無線機器から無線ＬＡＮ通信モジュールに転送されたデータをＲＦＩＤ通信モジュールからＲＦＩＤタグに書込んだりする携帯型ＲＦＩＤリーダライタが供されている。この種の携帯型ＲＦＩＤリーダライタにおいて、ＲＦＩＤ通信モジュールに接続されているＲＦＩＤアンテナが直線偏波特性を有するアンテナであり、無線ＬＡＮ通信モジュールに接続されている無線ＬＡＮアンテナが直線偏波特性を有するアンテナであると、それら両者の配置関係によっては互いの偏波面が接近してしまい、互いの通信性能を低下させ合ってしまうという問題がある。一方、特許文献１には、ＲＦＩＤ通信に係る機能ブロックの一部とＢｌｕｅｔｏｏｔｈ（登録商標）通信に係る機能ブロックの一部とを共有化する構成が開示されている。
【特許文献１】特開２００３−６９４８６号公報
【発明の開示】
【発明が解決しようとする課題】
【０００３】
しかしながら、上記した特許文献１に記載されているものでは、直線偏波特性を有するＲＦＩＤアンテナの偏波面と直線偏波特性を有する無線ＬＡＮアンテナの偏波面とが接近することに因る通信性能を低下させ合ってしまうという不具合を解決するには至っていない。
【０００４】
本発明は、上記した事情に鑑みてなされたものであり、その目的は、筐体に、ＲＦＩＤタグとの間でＲＦＩＤ通信を行うＲＦＩＤ通信手段と、外部無線機器との間で無線ＬＡＮ通信を行う無線ＬＡＮ通信手段とが設けられている構成において、互いの通信性能を低下させ合うことなく、互いに適切な通信性能を確保することができる携帯型ＲＦＩＤリーダライタを提供することにある。
【課題を解決するための手段】
【０００５】
請求項１に記載した発明によれば、ＲＦＩＤタグとの間でＲＦＩＤ通信を行うＲＦＩＤ通信手段に接続されている直線偏波特性を有するＲＦＩＤアンテナと、外部無線機器との間で無線ＬＡＮ通信を行う無線ＬＡＮ通信手段に接続されている直線偏波特性を有する無線ＬＡＮアンテナとが、各々が形成する偏波面が直交する関係に配置されている。これにより、直線偏波特性を有するＲＦＩＤアンテナの偏波面と直線偏波特性を有する無線ＬＡＮアンテナの偏波面とが接近しない構成を実現することができ、互いの通信性能を低下させ合うことなく、互いに適切な通信性能を確保することができる。
【０００６】
請求項２に記載した発明によれば、筐体が長尺形状に形成され、ＲＦＩＤアンテナとして２つのアンテナが設けられると共に無線ＬＡＮアンテナとして２つのアンテナが設けられ、２つのＲＦＩＤアンテナは、筐体の水平面部に平行な水平面にあって筐体の長手方向に直交する方向に沿って配置されているアンテナと筐体の水平面部に平行な水平面に直交する方向に沿って配置されているアンテナとの組合せにより構成され、２つの無線ＬＡＮアンテナは、筐体の水平面部に平行な水平面にあって筐体の長手方向に直交する方向に沿って配置されているアンテナと筐体の水平面部に平行な水平面に直交する方向に沿って配置されているアンテナとの組合せ、筐体の水平面部に平行な水平面にあって筐体の長手方向に沿って配置されているアンテナと筐体の水平面部に平行な水平面に直交する方向に沿って配置されているアンテナとの組合せ、筐体の水平面部に平行な水平面にあって筐体の長手方向に沿って配置されているアンテナと筐体の水平面部に平行な水平面にあって筐体の長手方向に直交する方向に沿って配置されているアンテナとの組合せのいずれかにより構成されている。これにより、ＲＦＩＤアンテナとして２つのアンテナが設けられると共に無線ＬＡＮアンテナとして２つのアンテナが設けられている構成において、直線偏波特性を有するＲＦＩＤアンテナの偏波面と直線偏波特性を有する無線ＬＡＮアンテナの偏波面とが接近しない構成を実現することができる。
【０００７】
請求項３に記載した発明によれば、筐体が長尺形状に形成され、ＲＦＩＤアンテナとして１つのアンテナが設けられると共に無線ＬＡＮアンテナとして１つのアンテナが設けられ、１つのＲＦＩＤアンテナは、筐体の水平面部に平行な水平面にあって筐体の長手方向に直交する方向に沿って配置され、１つの無線ＬＡＮアンテナは、筐体の水平面部に平行な水平面に直交する方向に沿って配置されている。これにより、ＲＦＩＤアンテナとして１つのアンテナが設けられると共に無線ＬＡＮアンテナとして１つのアンテナが設けられている構成において、直線偏波特性を有するＲＦＩＤアンテナの偏波面と直線偏波特性を有する無線ＬＡＮアンテナの偏波面とが接近しない構成を実現することができる。
【０００８】
請求項４に記載した発明によれば、筐体が長尺形状に形成され、ＲＦＩＤアンテナとして１つのアンテナが設けられると共に無線ＬＡＮアンテナとして２つのアンテナが設けられ、１つのＲＦＩＤアンテナは、筐体の水平面部に平行な水平面にあって筐体の長手方向に直交する方向に沿って配置され、２つの無線ＬＡＮアンテナは、筐体の水平面部に平行な水平面にあって筐体の長手方向に直交する方向に沿って配置されているアンテナと筐体の水平面部に平行な水平面に直交する方向に沿って配置されているアンテナとの組合せ、筐体の水平面部に平行な水平面にあって筐体の長手方向に沿って配置されているアンテナと筐体の水平面部に平行な水平面に直交する方向に沿って配置されているアンテナとの組合せ、筐体の水平面部に平行な水平面にあって筐体の長手方向に沿って配置されているアンテナと筐体の水平面部に平行な水平面にあって筐体の長手方向に直交する方向に沿って配置されているアンテナとの組合せのいずれかにより構成されている。これにより、ＲＦＩＤアンテナとして１つのアンテナが設けられると共に無線ＬＡＮアンテナとして２つのアンテナが設けられている構成において、直線偏波特性を有するＲＦＩＤアンテナの偏波面と直線偏波特性を有する無線ＬＡＮアンテナの偏波面とが接近しない構成を実現することができる。
【０００９】
請求項５に記載した発明によれば、筐体が長尺形状に形成され、ＲＦＩＤアンテナとして２つのアンテナが設けられると共に無線ＬＡＮアンテナとして１つのアンテナが設けられ、２つのＲＦＩＤアンテナは、筐体の水平面部に平行な水平面にあって筐体の長手方向に直交する方向に沿って配置されているアンテナと筐体の水平面部に平行な水平面に直交する方向に沿って配置されているアンテナとの組合せにより構成され、１つの無線ＬＡＮアンテナは、筐体の水平面部に平行な水平面に直交する方向に沿って配置されている或いは筐体の水平面部に平行な水平面にあって筐体の長手方向に直交する方向に沿って配置されている。これにより、ＲＦＩＤアンテナとして２つのアンテナが設けられると共に無線ＬＡＮアンテナとして１つのアンテナが設けられている構成において、直線偏波特性を有するＲＦＩＤアンテナの偏波面と直線偏波特性を有する無線ＬＡＮアンテナの偏波面とが接近しない構成を実現することができる。
【００１０】
請求項６に記載した発明によれば、無線ＬＡＮアンテナ切替手段は、ＲＦＩＤ通信手段がＲＦＩＤタグとの間でＲＦＩＤ通信を行う毎に無線ＬＡＮ通信手段が外部無線機器との間で無線ＬＡＮ通信を行う態様では、ＲＦＩＤ通信手段がＲＦＩＤタグとの間でＲＦＩＤ通信中にある毎に、２つの無線ＬＡＮアンテナの各々の受信電界強度を測定し、それら２つの無線ＬＡＮアンテナのうちいずれかを当該測定結果に基づいて動作アンテナとして択一的に切替える。これにより、ＲＦＩＤタグとの間でＲＦＩＤ通信中にあるときに、２つの無線ＬＡＮアンテナのうち受信電界強度が高い方を動作アンテナとして択一的に切替えることができ、無線ＬＡＮ通信を行う場合の通信性能を適切に確保することができる。
【００１１】
請求項７に記載した発明によれば、無線ＬＡＮアンテナ切替手段は、ＲＦＩＤ通信手段がＲＦＩＤタグとの間でＲＦＩＤ通信を行う毎に無線ＬＡＮ通信手段が外部無線機器との間で無線ＬＡＮ通信を行う態様では、ＲＦＩＤ通信手段がＲＦＩＤタグとの間でＲＦＩＤ通信を終了した直後毎に、２つの無線ＬＡＮアンテナの各々の受信電界強度を測定し、それら２つの無線ＬＡＮアンテナのうちいずれかを当該測定結果に基づいて動作アンテナとして択一的に切替える。これにより、ＲＦＩＤタグとの間でＲＦＩＤ通信を終了した直後に、２つの無線ＬＡＮアンテナのうち受信電界強度が高い方を動作アンテナとして択一的に切替えることができ、無線ＬＡＮ通信を行う場合の通信性能を適切に確保することができる。
【００１２】
請求項８に記載した発明によれば、ＲＦＩＤアンテナ切替手段は、ＲＦＩＤ通信手段がＲＦＩＤタグとの間でＲＦＩＤ通信を行う毎に無線ＬＡＮ通信手段が外部無線機器との間で無線ＬＡＮ通信を行う態様では、無線ＬＡＮ通信手段が２つの無線ＬＡＮアンテナのうちＲＦＩＤアンテナのいずれとも偏波面が直交する関係に配置されている方を選択した後に、２つのＲＦＩＤアンテナの各々のＲＦＩＤタグ応答レベルを測定し、それら２つのＲＦＩＤアンテナのうちいずれかを当該測定結果に基づいて動作アンテナとして択一的に切替える。これにより、２つの無線ＬＡＮアンテナのうちＲＦＩＤアンテナのいずれとも偏波面が直交する関係に配置されている方を選択した後に、２つのＲＦＩＤアンテナのうち応答レベルが高い方を動作アンテナとして択一的に切替えることができ、ＲＦＩＤ通信を行う場合の通信性能を適切に確保することができる。
【００１３】
請求項９に記載した発明によれば、無線ＬＡＮアンテナ切替手段は、ＲＦＩＤ通信手段がＲＦＩＤタグとの間で予め設定されている設定回数分のＲＦＩＤ通信を行った後に無線ＬＡＮ通信手段が外部無線機器との間で無線ＬＡＮ通信を行う態様では、ＲＦＩＤ通信手段がＲＦＩＤタグとの間で設定回数分のＲＦＩＤ通信を終了した直後に、２つの無線ＬＡＮアンテナの各々の受信電界強度を測定し、それら２つの無線ＬＡＮアンテナのうちいずれかを当該測定結果に基づいて動作アンテナとして択一的に切替える。これにより、ＲＦＩＤタグとの間で設定回数分のＲＦＩＤ通信を終了した直後に、２つの無線ＬＡＮアンテナのうち受信電界強度が高い方を動作アンテナとして択一的に切替えることができ、無線ＬＡＮ通信を行う場合の通信性能を適切に確保することができる。
【発明を実施するための最良の形態】
【００１４】
（第１の実施形態）
以下、本発明を情報コード（１次元コードや２次元コード）に記録されているデータを光学的に読取る情報コード読取機能を有する携帯型ＲＦＩＤリーダライタに適用した第１の実施形態について、図１ないし図６を参照して説明する。図１は、ＲＦＩＤ通信アンテナ及び無線ＬＡＮ通信アンテナの配置態様を概略的に示している。
【００１５】
携帯型ＲＦＩＤリーダライタ１は、例えばプラスチック材からなる筐体２が上ケース３と下ケース４とが組合されて全体的に長尺形状に構成され、その上半部は情報コードに記録されているデータを光学的に読取る光学読取センサ（図示せず）の読取面と平行な開口面を有する読取り口５が設けられている光学読取部６とされ、その下半部はユーザが把持可能な把持部７とされている。把持部７は光学読取部６よりも僅かに幅狭な形状に成形されている。本実施形態においては、これ以降、筐体２の水平面部（上ケース３の平面部３ａ及び下ケース４の平面部４ａ）に平行な水平面にあって筐体２の長手方向をＸ軸方向、筐体２の水平面部に平行な水平面にあって筐体２の長手方向に直交する方向をＹ軸方向、筐体２の水平面部に平行な水平面に直交する方向をＺ軸方向として説明する。
【００１６】
筐体２の内部には、ＲＦＩＤタグ２０（図２参照）との間でＲＦＩＤ通信を行うＲＦＩＤ通信モジュール８（本発明でいうＲＦＩＤ通信手段、ＲＦＩＤアンテナ切替手段）が配置されていると共に、アクセスポイント２１（本発明でいう外部無線機器）（図２参照）との間で無線ＬＡＮ通信を行う無線ＬＡＮ通信モジュール９（本発明でいう無線ＬＡＮ通信手段、無線ＬＡＮアンテナ切替手段）が配置されている。
【００１７】
ＲＦＩＤ通信モジュール８は、第１のＲＦＩＤアンテナ８ａと第２のＲＦＩＤアンテナ８ｂとの２本のアンテナ８ａ，８ｂを接続している。これら２本のアンテナ８ａ，８ｂは直線偏波特性を有するダイポールアンテナから構成されており、第１のＲＦＩＤアンテナ８ａはエレメントの軸がＹ軸方向に沿って配置されており、第２のＲＦＩＤアンテナ８ｂはエレメントの軸がＺ軸方向に沿って配置されている。ＲＦＩＤ通信モジュール８は、送信データで変調処理された搬送波を第１のＲＦＩＤアンテナ８ａ及び第２のＲＦＩＤアンテナ８ｂのいずれかからＲＦＩＤタグ２０に送信し、ＲＦＩＤタグ２０から送信された搬送波を第１のＲＦＩＤアンテナ８ａ及び第２のＲＦＩＤアンテナ８ｂのいずれかで受信し、その受信した搬送波を復調処理して受信データを抽出することにより、ＲＦＩＤタグ２０との間でデータ送受信を行う。この場合、ＲＦＩＤ通信で使用する周波数帯域は例えば９５３［ＭＨＺ]帯域である。
【００１８】
無線ＬＡＮ通信モジュール９は、第１の無線ＬＡＮアンテナ９ａと第２の無線ＬＡＮアンテナ９ｂとの２本のアンテナ９ａ，９ｂを接続している。これら２本のアンテナ９ａ，９ｂは直線偏波特性を有するダイポールアンテナから構成されており、第１の無線ＬＡＮアンテナ９ａはエレメントの軸がＹ軸方向に沿って配置されており、第２の無線ＬＡＮアンテナ９ｂはエレメントの軸がＸ軸方向に沿って配置されている。無線ＬＡＮ通信モジュール９は、送信データで変調処理された搬送波を第１の無線ＬＡＮアンテナ９ａ及び第２の無線ＬＡＮアンテナ９ｂのいずれかからアクセスポイント２１に送信し、アクセスポイント２１から送信された搬送波を第１の無線ＬＡＮアンテナ９ａ及び第２の無線ＬＡＮアンテナ９ｂのいずれかで受信し、その受信した搬送波を復調処理して受信データを抽出することにより、アクセスポイント２１との間でデータ送受信を行う。この場合、無線ＬＡＮ通信で使用する周波数帯域は例えば２［ＧＨＺ]帯域或いは５［ＧＨＺ]帯域である。
【００１９】
図２は、上記した携帯型ＲＦＩＤリーダライタ１の電気的な構成を機能ブロック図により示している。携帯型ＲＦＩＤリーダライタ１は、制御部１０と、上記したＲＦＩＤ通信モジュール８と、上記した無線ＬＡＮ通信モジュール９と、表示部１１と、キー入力部１２と、画像認識モジュール１３と、電源部１４とを備えて構成されている。制御部１０は、マイクロコンピュータを主体として構成され、制御プログラムを実行して携帯型ＲＦＩＤリーダライタ１の動作全般を制御する。
【００２０】
表示部１１は、筐体２にあって上ケース３の上面部３ａに設けられている液晶表示器（図示せず）を有し、制御部１０から表示指令信号を入力すると、その入力した表示指令信号に基づいて各種情報を表示する。キー入力部１２は、筐体２にあって上ケース３の上面部３ａに設けられているキートップ（図示せず）を有し、ユーザがキートップを操作した操作内容を表す操作検知信号を制御部１０に出力する。画像認識モジュール１３は、上記沖した光学読取りセンサが情報コードに記録されているデータを光学的に読取ったことに応じて画像信号を入力すると、その入力した画像信号から画像を抽出し、その抽出した画像に対して所定の画像認識アルゴリズムに基づいて画像認識を行って画像認識データを生成し、その生成した画像認識データを制御部１０に出力する。電源部１４は、バッテリ１５から供給される電力から動作電力を生成して各機能ブロックに供給する。
【００２１】
ＲＦＩＤ通信モジュール８は、筐体２の内部で拡張基板に実装される態様で設けられ、ＲＦ部１６と、リーダライタ用ＩＣ１７と、ＦＰＧＡ１８と、ＣＦカードインタフェース（Ｉ／Ｆ）１９とを備えて構成されている。ＲＦＩＤ通信モジュール８（ＲＦ部１６）は、上記した第１のＲＦＩＤアンテナ８ａ及び第２のＲＦＩＤアンテナ８ｂのうちいずれかを動作アンテナとして択一的に選択する（切替える）選択回路（図示せず）を有しており、これら第１のＲＦＩＤアンテナ８ａ及び第２のＲＦＩＤアンテナ８ｂをのうちいずれかを動作アンテナとして択一的に選択してアンテナ選択ダイバーシチを行う。無線ＬＡＮ通信モジュール９は、上記した無線ＬＡＮアンテナ９ａ及び第２の無線ＬＡＮアンテナ９ｂのうちいずれかを動作アンテナとして択一的に選択する（切替える）選択回路（図示せず）を有しており、これら第１の無線ＬＡＮアンテナ９ａ及び第２の無線ＬＡＮアンテナ９ｂをのうちいずれかを動作アンテナとして択一的に選択してアンテナ選択ダイバーシチを行う。
【００２２】
制御部１０は、ＲＦＩＤ通信モジュール８がＲＦＩＤタグ２０との間で行うＲＦＩＤ通信と無線ＬＡＮ通信モジュール９がアクセスポイント２１との間で行う無線ＬＡＮ通信とを制御することで、ＲＦＩＤ通信モジュール８がＲＦＩＤタグ２０から読取ったデータを無線ＬＡＮ通信モジュール９からアクセスポイント２１に転送させたり、アクセスポイント２１から無線ＬＡＮ通信モジュール９に転送されたデータをＲＦＩＤ通信モジュール８からＲＦＩＤタグ２０に書込んだりする。
【００２３】
次に、上記した構成の作用について、図３ないし図６を参照して説明する。携帯型ＲＦＩＤリーダライタ１がＲＦＩＤタグ２０からデータを読取って（取込んで）当該読取ったデータをアクセスポイント２１に転送する態様としては、ＲＦＩＤタグ２０からデータを１回読込む毎に当該読取った１回分のデータをアクセスポイント２１に転送する逐次読取り転送と、ＲＦＩＤタグ２０からデータを予め設定されている設定回数分だけ読取った後に当該読取った設定回数分のデータをアクセスポイント２１に転送する一括読取り転送との２種類がある。以下、それらの態様について順次説明する。尚、ユーザは携帯型ＲＦＩＤリーダライタ１を操作することで逐次読取り転送及び一括読取り転送のうちいずれかを予め択一的に設定しておくことが可能である。
【００２４】
（１）逐次読取り転送
携帯型ＲＦＩＤリーダライタ１は、逐次読取り転送を行う場合には、ＲＦＩＤ通信モジュール８におけるＲＦＩＤ通信処理と無線ＬＡＮ通信モジュール９における無線ＬＡＮ通信処理とを並列に行う。
【００２５】
携帯型ＲＦＩＤリーダライタ１は、ＲＦＩＤタグ２０からのデータ読取り指示が発生したか否かを監視している（ステップＳ１）。ここで、携帯型ＲＦＩＤリーダライタ１は、ユーザがＲＦＩＤタグ２０からのデータ読取り指示の操作を行ったことにより、キー入力部１２からの操作検知信号に基づいてＲＦＩＤタグ２０からのデータ読取り指示が発生した旨を判定すると（ステップＳ１にて「ＹＥＳ」）、ＲＦＩＤアンテナ選択制御に移行する（ステップＳ２）。また、携帯型ＲＦＩＤリーダライタ１は、ＲＦＩＤアンテナ選択制御に移行することと並行し、第１のＲＦＩＤアンテナ８ａ及び第２のＲＦＩＤアンテナ８ｂのいずれとも偏波面が直交する関係に配置されている第２の無線ＬＡＮアンテナ９ｂを動作アンテナとして選択し（ステップＳ１１）、その選択した第２の無線ＬＡＮアンテナ９ｂによりアクセスポイント２１と接続させる（ステップＳ１２）。
【００２６】
携帯型ＲＦＩＤリーダライタ１は、ＲＦＩＤアンテナ選択制御に移行すると、最初に第１のＲＦＩＤアンテナ８ａを動作アンテナとして選択し（ステップＳ２１）、その選択した第１のＲＦＩＤアンテナ８ａでのＲＦＩＤタグ応答レベルを測定し、その測定値（ＬＶ１）を記憶する（ステップＳ２２）。携帯型ＲＦＩＤリーダライタ１は、続いて第２のＲＦＩＤアンテナ８ｂを動作アンテナとして選択し（ステップＳ２３）、その選択した第２のＲＦＩＤアンテナ８ｂでのＲＦＩＤタグ応答レベルを測定し、その測定値（ＬＶ２）を記憶する（ステップＳ２４）。
【００２７】
次いで、携帯型ＲＦＩＤリーダライタ１は、第１のＲＦＩＤアンテナ８ａでのＲＦＩＤタグ応答レベルの測定値（ＬＶ１）と第２のＲＦＩＤアンテナ８ｂでのＲＦＩＤタグ応答レベルの測定値（ＬＶ２）とを比較し（ステップＳ２５）、前者が後者以上である旨を判定すると（ステップＳ２５にて「ＹＥＳ」）、第１のＲＦＩＤアンテナ８ａを動作アンテナとして選択し（ステップＳ２６）、一方、前者が後者以上でない（前者が後者未満である）旨を判定すると（ステップＳ２５にて「ＮＯ」）、第２のＲＦＩＤアンテナ８ｂを動作アンテナとして選択し（ステップＳ２７）、ＲＦＩＤアンテナ選択制御を終了してリターンする。そして、携帯型ＲＦＩＤリーダライタ１は、ＲＦＩＤアンテナ選択制御で選択したＲＦＩＤアンテナを用いてＲＦＩＤタグ２０との間でＲＦＩＤ通信を開始させる（ステップＳ３）。
【００２８】
また、携帯型ＲＦＩＤリーダライタ１は、ＲＦＩＤアンテナ選択制御で選択したＲＦＩＤアンテナを用いてＲＦＩＤタグ２０との間でＲＦＩＤ通信を開始させることと並行し、ＲＦＩＤアンテナ選択制御で第１のＲＦＩＤアンテナ８ａ及び第２のＲＦＩＤアンテナ８ｂのうちいずれを選択したか否かを判定し（ステップＳ１３）、第１のＲＦＩＤアンテナ８ａを選択した旨を判定すると、その選択した第１のＲＦＩＤアンテナ８ａと偏波面が直交する関係に配置されている第２の無線ＬＡＮアンテナ９ｂを動作アンテナとする選択を継続し（ステップＳ１４）、一方、第２のＲＦＩＤアンテナ８ｂを選択した旨を判定すると、その選択した第２のＲＦＩＤアンテナ８ｂと偏波面が直交する関係に配置されている第１の無線ＬＡＮアンテナ９ａ及び第１の無線ＬＡＮアンテナ９ｂのうちいずれかを動作アンテナとして選択する無線ＬＡＮアンテナ選択制御に移行する（ステップＳ１５）。
【００２９】
携帯型ＲＦＩＤリーダライタ１は、無線ＬＡＮアンテナ選択制御に移行すると、最初に第１の無線ＬＡＮアンテナ９ａを動作アンテナとして選択し（ステップＳ３１）、その選択した第１の無線ＬＡＮアンテナ９ａでの受信電界強度を測定し、その測定値（ＲＳＳＩ１）を記憶する（ステップＳ３２）。携帯型ＲＦＩＤリーダライタ１は、続いて第２の無線ＬＡＮアンテナ９ｂを動作アンテナとして選択し（ステップＳ３３）、その選択した第２の無線ＬＡＮアンテナ９ｂでの受信電界強度を測定し、その測定値（ＲＳＳＩ２）を記憶する（ステップＳ３４）。
【００３０】
次いで、携帯型ＲＦＩＤリーダライタ１は、第１の無線ＬＡＮアンテナ９ａでの受信電界強度の測定値（ＲＳＳＩ１）と第２の無線ＬＡＮアンテナ９ｂでの受信電界強度の測定値（ＲＳＳＩ２）とを比較し（ステップＳ３５）、前者が後者以上である旨を判定すると（ステップＳ３５にて「ＹＥＳ」）、第１の無線ＬＡＮアンテナ９ａを動作アンテナとして選択し（ステップＳ３６）、一方、前者が後者以上でない（前者が後者未満である）旨を判定すると（ステップＳ３５にて「ＮＯ」）、第２の無線ＬＡＮアンテナ９ｂを動作アンテナとして選択し（ステップＳ３７）、無線ＬＡＮアンテナ選択制御を終了してリターンする。そして、携帯型ＲＦＩＤリーダライタ１は、第１の無線ＬＡＮアンテナ９ａ及び第２の無線ＬＡＮアンテナ９ｂのうち選択した無線ＬＡＮアンテナによりアクセスポイント２１と接続させる（ステップＳ１６）。
【００３１】
すなわち、携帯型ＲＦＩＤリーダライタ１は、ＲＦＩＤアンテナ選択制御で第１のＲＦＩＤアンテナ８ａを選択した場合には、無線ＬＡＮアンテナ選択制御を行うことなく、第２の無線ＬＡＮアンテナ９ｂを動作アンテナとする選択を継続するので、第２の無線ＬＡＮアンテナ９ｂによりアクセスポイント２１と接続させる。一方、携帯型ＲＦＩＤリーダライタ１は、ＲＦＩＤアンテナ選択制御で第２のＲＦＩＤアンテナ８ｂを選択した場合には、無線ＬＡＮアンテナ選択制御を行うので、第１の無線ＬＡＮアンテナ９ａ及び第２の無線ＬＡＮアンテナ９ｂのうち受信電界強度が大きい方によりアクセスポイント２１と接続させる。
【００３２】
次いで、携帯型ＲＦＩＤリーダライタ１は、ＲＦＩＤアンテナ選択制御で選択したＲＦＩＤアンテナを用いてＲＦＩＤタグとの間でＲＦＩＤ通信を開始させた後では、そのＲＦＩＤ通信を終了させたか否かを監視しており（ステップＳ４）、ＲＦＩＤ通信を終了させた旨を判定すると（ステップＳ４にて「ＹＥＳ」）、無線ＬＡＮアンテナ選択制御に再度移行し（ステップＳ１７）、第１の無線ＬＡＮアンテナ９ａ及び第２の無線ＬＡＮアンテナ９ｂのうち受信電界強度が大きい方によりアクセスポイントと接続させ（ステップＳ１８）、一連の処理を終了する。
【００３３】
以上に説明した処理により、携帯型ＲＦＩＤリーダライタ１においては、逐次読取り転送を行う場合には、ＲＦＩＤ通信処理と無線ＬＡＮ通信処理とを並列に行うことにより、ＲＦＩＤ通信中にあるときに、無線ＬＡＮアンテナ選択制御を行うことで第１の無線ＬＡＮアンテナ９ａ及び第２の無線ＬＡＮアンテナ９ｂのうち受信電界強度が高い方を動作アンテナとして選択し、ＲＦＩＤ通信を終了した直後にも、無線ＬＡＮアンテナ選択制御を行うことで第１の無線ＬＡＮアンテナ９ａ及び第２の無線ＬＡＮアンテナ９ｂのうち受信電界強度が高い方を動作アンテナとして選択する。
【００３４】
（２）一括読取り転送
携帯型ＲＦＩＤリーダライタ１は、一括読取り転送を行う場合には、ＲＦＩＤ通信モジュール８におけるＲＦＩＤ通信処理と無線ＬＡＮ通信モジュール９における無線ＬＡＮ通信処理とを縦列に行う。
【００３５】
携帯型ＲＦＩＤリーダライタ１は、ＲＦＩＤタグ２０から読取ったデータを一括転送する件数である設定回数を予め記憶している状態で、ＲＦＩＤタグ２０からのデータ読取り指示が発生したか否かを監視している（ステップＳ４１）。ここで、携帯型ＲＦＩＤリーダライタ１は、ユーザがＲＦＩＤタグ２０からのデータ読取り指示の操作を行ったことにより、キー入力部１２からの操作検知信号に基づいてＲＦＩＤタグ２０からのデータ読取り指示が発生した旨を判定すると（ステップＳ４１にて「ＹＥＳ」）、上記したＲＦＩＤアンテナ選択制御に移行する（ステップＳ４２）。
【００３６】
次いで、携帯型ＲＦＩＤリーダライタ１は、ＲＦＩＤアンテナ選択制御で選択したＲＦＩＤアンテナを用いてＲＦＩＤタグ２０との間でＲＦＩＤ通信を開始させ（ステップＳ４３）、そのＲＦＩＤ通信を終了させたか否かを監視しており（ステップＳ４４）、ＲＦＩＤ通信を終了させた旨を判定すると（ステップＳ４４にて「ＹＥＳ」）、読取り回数カウンタをインクリメントし（ステップＳ４５）、インクリメントした読取り回数カウンタが設定回数に到達したか否かを判定し（ステップＳ４６）、インクリメントした読取り回数カウンタが設定回数に到達していない旨を判定すると（ステップＳ４６にて「ＮＯ」）、上記したステップＳ４１に戻り、ステップＳ４１〜Ｓ４６を繰返して行う。
【００３７】
これに対して、携帯型ＲＦＩＤリーダライタ１は、インクリメントした読取り回数カウンタが設定回数に到達した旨を判定すると（ステップＳ４６にて「ＹＥＳ」）、上記した無線ＬＡＮアンテナ選択制御に移行し（ステップＳ４７）、無線ＬＡＮアンテナ選択制御で選択した無線ＬＡＮアンテナによりアクセスポイント２１と接続させ（ステップＳ４８）、一連の処理を終了する。
【００３８】
以上に説明した処理により、携帯型ＲＦＩＤリーダライタ１においては、一括読取り転送を行う場合には、ＲＦＩＤ通信処理と無線ＬＡＮ通信処理とを縦列に行うことにより、ＲＦＩＤ通信を終了した直後に、無線ＬＡＮアンテナ選択制御を行うことで第１の無線ＬＡＮアンテナ９ａ及び第２の無線ＬＡＮアンテナ９ｂのうち受信電界強度が高い方を動作アンテナとして選択する。
【００３９】
以上に説明したように第１の実施形態によれば、携帯型ＲＦＩＤリーダライタ１において、第１のＲＦＩＤアンテナ８ａをＹ軸方向に沿って配置し、第２のＲＦＩＤアンテナ８ｂをＺ軸方向に沿って配置し、第１の無線ＬＡＮアンテナ９ａをＹ軸方向に沿って配置し、第２の無線ＬＡＮアンテナ９ｂをＸ軸方向に沿って配置したので、第１のＲＦＩＤアンテナ８ａが形成する偏波面と第２の無線ＬＡＮアンテナ９ｂが形成する偏波面とを直交させることができ、第２のＲＦＩＤアンテナ８ｂが形成する偏波面と第１の無線ＬＡＮアンテナ９ａ及び第２の無線ＬＡＮアンテナ９ｂのいずれかが形成する偏波面とを直交させることができ、ＲＦＩＤ通信と無線ＬＡＮ通信とにおいて互いの通信性能を低下させ合うことなく、互いに適切な通信性能を確保することができる。
【００４０】
尚、上記した実施形態は、２つの無線ＬＡＮアンテナの組合せとして、エレメントの軸がＹ軸方向に沿って配置されている第１の無線ＬＡＮアンテナ９ａとエレメントの軸がＸ軸方向に沿って配置されている第２の無線ＬＡＮアンテナ９ｂとの組合せを説明したが、エレメントの軸がＹ軸方向に沿って配置されている第１の無線ＬＡＮアンテナとエレメントの軸がＺ軸方向に沿って配置されている第２の無線ＬＡＮアンテナの組合せであっても良いし、エレメントの軸がＸ軸方向に沿って配置されている第１の無線ＬＡＮアンテナとエレメントの軸がＺ軸方向に沿って配置されている第２の無線ＬＡＮアンテナの組合せであっても良い。
【００４１】
（第２の実施形態）
次に、本発明の第２の実施形態について、図７を参照して説明する。尚、上記した第１の実施形態と同一部分については説明を省略し、異なる部分について説明する。上記した第１の実施形態は、ＲＦＩＤ通信モジュール８が２本のＲＦＩＤアンテナ８ａ，８ｂを接続していると共に無線ＬＡＮ通信モジュール９が２本の無線ＬＡＮアンテナ９ａ，９ｂを接続している構成であるが、第２の実施形態は、ＲＦＩＤ通信モジュール８が１本のＲＦＩＤアンテナを接続していると共に無線ＬＡＮ通信モジュール９が１本の無線ＬＡＮアンテナを接続している構成である。
【００４２】
すなわち、携帯型ＲＦＩＤリーダライタ３１において、ＲＦＩＤ通信モジュール８は、エレメントの軸がＹ軸方向に沿って配置されているＲＦＩＤアンテナ８ｃを接続していると共に、無線ＬＡＮ通信モジュール９は、エレメントの軸がＺ軸方向に沿って配置されている無線ＬＡＮアンテナ９ｃを接続している。尚、この場合は、ＲＦＩＤアンテナ制御や無線ＬＡＮアンテナ制御を行うことはない。
【００４３】
第２の実施形態によれば、携帯型ＲＦＩＤリーダライタ４１において、ＲＦＩＤアンテナ８ｃをＹ軸方向に沿って配置し、無線ＬＡＮアンテナ９ｃをＺ軸方向に沿って配置したので、ＲＦＩＤアンテナ８ｃが形成する偏波面と無線ＬＡＮアンテナ９ｃが形成する偏波面とを直交させることができ、ＲＦＩＤ通信と無線ＬＡＮ通信とにおいて互いの通信性能を低下させ合うことなく、互いに適切な通信性能を確保することができる。
【００４４】
（第３の実施形態）
次に、本発明の第３の実施形態について、図８を参照して説明する。尚、上記した第１の実施形態と同一部分については説明を省略し、異なる部分について説明する。第３の実施形態は、ＲＦＩＤ通信モジュール８が１本のＲＦＩＤアンテナを接続していると共に無線ＬＡＮ通信モジュール９が２本の無線ＬＡＮアンテナを接続している構成である。
【００４５】
すなわち、携帯型ＲＦＩＤリーダライタ４１において、ＲＦＩＤ通信モジュール８は、エレメントの軸がＹ軸方向に沿って配置されているＲＦＩＤアンテナ８ｄを接続していると共に、無線ＬＡＮ通信モジュール９は、エレメントの軸がＹ軸方向に沿って配置されている第１の無線ＬＡＮアンテナ９ｄ及びエレメントの軸がＸ軸方向に沿って配置されている第２の無線ＬＡＮアンテナ９ｅを接続している。尚、この場合は、ＲＦＩＤアンテナ制御を行うことはないが、無線ＬＡＮアンテナ制御を行うことにより、第１の無線ＬＡＮアンテナ９ｄ及び第２の無線ＬＡＮアンテナ９ｅのうち受信電界強度が高い方を動作アンテナとする選択する。
【００４６】
第３の実施形態によれば、携帯型ＲＦＩＤリーダライタ４１において、ＲＦＩＤアンテナ８ｄをＹ軸方向に沿って配置し、第１の無線ＬＡＮアンテナ９ｄをＹ軸方向に沿って配置し、第２の無線ＬＡＮアンテナ９ｅをＸ軸方向に沿って配置したので、ＲＦＩＤアンテナ８ｄが形成する偏波面と第２の無線ＬＡＮアンテナ９ｅが形成する偏波面とを直交させることができ、ＲＦＩＤ通信と無線ＬＡＮ通信とにおいて互いの通信性能を低下させ合うことなく、互いに適切な通信性能を確保することができる。
【００４７】
尚、この場合も、上記した第１の実施形態と同様にして、エレメントの軸がＹ軸方向に沿って配置されている第１の無線ＬＡＮアンテナとエレメントの軸がＺ軸方向に沿って配置されている第２の無線ＬＡＮアンテナの組合せであっても良いし、エレメントの軸がＸ軸方向に沿って配置されている第１の無線ＬＡＮアンテナとエレメントの軸がＺ軸方向に沿って配置されている第２の無線ＬＡＮアンテナの組合せであっても良い。
【００４８】
（第４の実施形態）
次に、本発明の第４の実施形態について、図９を参照して説明する。尚、上記した第１の実施形態と同一部分については説明を省略し、異なる部分について説明する。第４の実施形態は、ＲＦＩＤ通信モジュール８が２本のＲＦＩＤアンテナを接続していると共に無線ＬＡＮ通信モジュール９が１本の無線ＬＡＮアンテナを接続している構成である。
【００４９】
すなわち、携帯型ＲＦＩＤリーダライタ５１において、ＲＦＩＤ通信モジュール８は、エレメントの軸がＹ軸方向に沿って配置されている第１のＲＦＩＤアンテナ８ｅ及びエレメントの軸がＺ軸方向に沿って配置されている第２のＲＦＩＤアンテナ８ｆを接続していると共に、無線ＬＡＮ通信モジュール９は、エレメントの軸がＺ軸方向に沿って配置されている無線ＬＡＮアンテナ９ｆを接続している。尚、この場合は、無線ＬＡＮアンテナ制御を行うことはないが、ＲＦＩＤアンテナ制御を行うことにより、第１のＲＦＩＤアンテナ８ｅ及び第２のＲＦＩＤアンテナ８ｆのうちＲＦＩＤタグ応答レベルが高い方を動作アンテナとする選択する。
【００５０】
第４の実施形態によれば、携帯型ＲＦＩＤリーダライタ５１において、第１のＲＦＩＤアンテナ８ｅをＹ軸方向に沿って配置し、第２のＲＦＩＤアンテナ８ｆをＺ軸方向に沿って配置し、無線ＬＡＮアンテナ９ｆをＺ軸方向に沿って配置したので、第１のＲＦＩＤアンテナ８ｅが形成する偏波面と無線ＬＡＮアンテナ９ｆが形成する偏波面とを直交させることができ、ＲＦＩＤ通信と無線ＬＡＮ通信とにおいて互いの通信性能を低下させ合うことなく、互いに適切な通信性能を確保することができる。尚、この場合、エレメントの軸がＹ軸方向に沿って配置されている無線ＬＡＮアンテナとであっても良い。
【００５１】
（その他の実施形態）
本発明は、上記した実施形態にのみ限定されるものではなく、以下のように変形または拡張することができる。
ＲＦＩＤアンテナ及び無線ＬＡＮアンテナの配置態様は、ＲＦＩＤアンテナが形成する偏波面と無線ＬＡＮアンテナが形成する偏波面とが直交する関係を成立する場合であれば、他の配置態様であっても良い。
【図面の簡単な説明】
【００５２】
【図１】本発明の第１の実施形態を示すもので、アンテナの配置態様を概略的に示す図
【図２】電気的な構成を示す機能ブロック図
【図３】フローチャート（その１）
【図４】フローチャート（その２）
【図５】フローチャート（その３）
【図６】フローチャート（その４）
【図７】本発明の第２の実施形態を示すもので、アンテナの配置態様を概略的に示す図
【図８】本発明の第３の実施形態を示すもので、アンテナの配置態様を概略的に示す図
【図９】本発明の第４の実施形態を示すもので、アンテナの配置態様を概略的に示す図
【符号の説明】
【００５３】
図面中、１は携帯型ＲＦＩＤリーダライタ、２は筐体、３ａは平面部（水平面部）、４ａは平面部（水平面部）、８はＲＦＩＤ通信モジュール（ＲＦＩＤ通信手段、ＲＦＩＤアンテナ切替手段）、８ａ〜８ｆはＲＦＩＤアンテナ、９は無線ＬＡＮ通信モジュール（無線ＬＡＮ通信手段、無線ＬＡＮアンテナ切替手段）、９ａ〜９ｆは無線ＬＡＮアンテナ、２０はＲＦＩＤタグ、２１はアクセスポイント（外部無線機器）、３１は携帯型ＲＦＩＤリーダライタ、４１は携帯型ＲＦＩＤリーダライタ、５１は携帯型ＲＦＩＤリーダライタである。
【図１】
2010016456.tif 000003
【図２】
2010016456.tif 000004
【図３】
2010016456.tif 000005
【図４】
2010016456.tif 000006
【図５】
2010016456.tif 000007
【図６】
2010016456.tif 000008
【図７】
2010016456.tif 000009
【図８】
2010016456.tif 000010
【図９】
2010016456.tif 000011